(57)【要約】【課題】  製作コストを削減することができるとともに、支持部の影が看者に視認され難くすることができるパターン表示装置を提供することを課題とする。【解決手段】  文字、図形、または模様を表す形状に形成されてパターンを表示するパターン表示部と、このパターン表示部の裏面に光を照射する光源と、前記パターン表示部と前記光源を支持する台座部と、を備え、前記パターン表示部は、人工大理石で形成されていることを特徴とする構成となっている。【選択図】  図２
2018036419.tif 000002
【特許請求の範囲】
【請求項１】
文字、図形、または模様を表す形状に形成されてパターンを表示するパターン表示部と、
このパターン表示部の裏面に光を照射する光源と、
前記パターン表示部と前記光源を支持する台座部と、を備え、
前記パターン表示部は、人工大理石で形成されていることを特徴とする、パターン表示装置。
【請求項２】
前記パターン表示部は、表示板と、この表示板の外縁部から裏面方向に延びる側壁板と、を有し、
この表示板と側壁板との境界部分には、前記表示板及び前記側壁板よりも肉厚な角部が形成されていることを特徴とする、請求項１に記載のパターン表示装置。
【請求項３】
前記パターン表示部の裏面には、前記台座部に固定するための固定部材が設けられ、
この固定部材は、透光性を有する材料で形成されていることを特徴とする、請求項１又は請求項２に記載のパターン表示装置。
【請求項４】
前記台座部が固定される取付部材をさらに備え、
前記台座部は、背面板を有し、
前記取付部材は、前記背面板に当接される支持板を有し、
前記背面板及び前記支持板は、前記パターン表示部の外縁と一致する形状に形成されていることを特徴とする、請求項１〜３の何れかに記載のパターン表示装置。
【請求項５】
前記台座部は、人工大理石で形成されており、
前記パターン表示部が嵌りこむ凹部が形成されていることを特徴とする、請求項１〜３の何れかに記載のパターン表示装置。
【請求項６】
前記凹部は、前記パターン表示部の厚さに対応した深さに設定されていることを特徴とする、請求項５に記載のパターン表示装置。
【発明の詳細な説明】
【技術分野】
【０００１】
本発明は、店名やロゴマーク等のパターンを際立たせて表示するパターン表示装置に関するものである。
【背景技術】
【０００２】
従来、店名やロゴマーク等のパターンを明るく表示するパターン表示装置が数多く提供されている。このパターン表示装置は、照明サインや看板照明と呼称され、正面側に配置されたパターン表示部（若しくはその周囲）を発光させることで、店名やロゴマーク等を明るく表示するタイプのものが多く流通している。このようなパターン表示装置は、視認性が高く美観に優れることから、ブランド店舗の正面や入口でブランド名を表示する等、様々な場所で利用されている。
【０００３】
このパターン表示装置としては、例えば、光源の光を拡散・放出する拡散板を利用したものが知られている（特許文献１参照）。この特許文献１に係る意匠性発光装置は、文字形状等に形成された拡散板（光拡散意匠部２）が台座（筐体４）の正面に配置されており、この拡散板と筐体の間には、拡散板の裏面に向かって光を照射する光源（光源９）が設けられた構成となっている（特許文献１の図２参照）。
【０００４】
そして、この特許文献１においては、拡散板の縁部分に加工を施すことで、拡散板を支持する支持部の影が看者に視認されない、美しい意匠性発光装置を提供することができるとされている。
【先行技術文献】
【特許文献】
【０００５】
【特許文献１】特許第５５１４３７４号公報
【発明の概要】
【発明が解決しようとする課題】
【０００６】
ところで、特許文献１に係る意匠性発光装置では、筐体の上部にＬ字型に形成された支持部が形成され、この支持部を拡散版と嵌合若しくは接着することにより、拡散板と筐体を接続している（特許文献１の図５参照）。このように、特許文献１の意匠性発光装置においては、支持部の影を看者に視認されにくい形状に拡散板や筐体を加工する必要があり、結果的に加工コストが高くなってしまうという問題があった。
一方で、拡散板を筐体にネジ止めする構成とすれば、加工を簡略化することができ加工コストを抑えることができるが、ネジの影がパネルに映り込んでしまい、意匠性を損ねてしまうという問題があった。
【０００７】
そこで、本発明者は、加工コストを抑えつつ美しい意匠性を発揮させる方法について鋭意検討した結果、今まで使用されてこなかった材料の拡散板を採用し、固定機構を簡略化するという考えに至った。これにより、加工コストや材料コストを低減させることができ、かつ、支持部の影を看者に視認され難くすることができるパターン表示装置の構成を見出した。
【０００８】
本発明は、上記実情に鑑みてなされた発明であり、製作コストを削減することができるとともに、支持部の影を看者に視認され難くすることができるパターン表示装置を提供することを課題とする。
【課題を解決するための手段】
【０００９】
上記課題を解決するため、本発明に係るパターン表示装置は、文字、図形、または模様を表す形状に形成されてパターンを表示するパターン表示部と、このパターン表示部の裏面に光を照射する光源と、前記パターン表示部と前記光源を支持する台座部と、を備え、前記パターン表示部は、人工大理石で形成されていることを特徴とする。
【００１０】
このように、パターン表示部を人工大理石で形成することにより、製作コストを削減することができるとともに、支持部の影を看者に視認され難くすることができる。
【００１１】
本発明の好ましい形態では、前記パターン表示部は、表示板と、この表示板の外縁部から裏面方向に延びる側壁板と、を有し、この表示板と側壁板との境界部分には、前記表示板及び前記側壁板よりも肉厚な角部が形成されていることを特徴とする。
このように、パターン表示部の外縁には肉厚の角部が形成されていることにより、看者に視認されたい表示パターンを縁取りするように暗い外郭模様を形成することができ、表示パターンの視認性を向上させることができる。言い換えれば、表示板及び側壁板は、光が十分に拡散して表面を明るく表示する厚さに形成され、角部は、光が十分に拡散せず表面を暗く表示する厚さに形成されている。
【００１２】
本発明の好ましい形態では、前記パターン表示部の裏面には、前記台座部に固定するための固定部材が設けられ、この固定部材は、透光性を有する材料で形成されていることを特徴とする。
このように、透光性を有した固定部材を採用することにより、支持部の影が看者に視認され難くすることができる。
【００１３】
本発明の好ましい形態では、前記台座部が固定される取付部材をさらに備え、前記台座部は、背面板を有し、前記取付部材は、前記背面板に当接される支持板を有し、前記背面板及び前記支持板は、前記パターン表示部の外縁と一致する形状に形成されていることを特徴とする。
【００１４】
本発明の好ましい形態では、前記台座部は、人工大理石で形成されており、前記パターン表示部が嵌りこむ凹部が形成されていることを特徴とする。
このように、パターン表示部が嵌りこむ凹部を有した台座部を採用することにより、点灯時に人工大理石からパターンが浮き出るようなデザインとすることができる。
【００１５】
本発明の好ましい形態では、前記凹部は、前記パターン表示部の厚さに対応した深さに設定されていることを特徴とする。
このように、凹部の深さをパターン表示部の厚さと同じ大きさに設定して表面高さを合わせることにより、消灯時には、看者に只の人工大理石と認識させることができ、点灯・消灯によってパターンの表示を発現させたり消滅させたりすることができる。
【発明の効果】
【００１６】
本発明によれば、製作コストを削減することができるとともに、支持部の影を看者に視認され難くすることができるパターン表示装置を提供することができる。
【図面の簡単な説明】
【００１７】
【図１】本発明の実施形態１に係るパターン表示装置の各部材を示す正面図である。
【図２】本発明の実施形態１に係るパターン表示装置の分解斜視図である。
【図３】本発明の実施形態１に係るパターン表示装置の分解斜視図である。
【図４】本発明の実施形態１に係るパターン表示装置の側断面図である。
【図５】本発明の実施形態１に係るパターン表示装置が点灯した様子を示す図である。
【図６】本発明の実施形態２に係るパターン表示装置の分解斜視図である。
【図７】本発明の実施形態２に係るパターン表示装置の側断面図である。
【発明を実施するための形態】
【００１８】
以下、本発明を図面に示した好ましい実施形態１及び実施形態２について図１〜７を用いて詳細に説明する。本発明の技術的範囲は、添付図面に示した実施形態に限定されるものではなく、特許請求の範囲に記載された範囲内において、適宜変更が可能である。なお、この発明のパターン表示装置は、様々な文字、図形、模様について適用できるが、実施形態１及び実施形態２においては、文字「Ｇ」の形状を例にとって説明する。
【００１９】
＜実施形態１＞
図１は、実施形態１に係るパターン表示装置Ａの主な部材を示す正面図であり、図１（ａ）はパターン表示部１０を、図１（ｂ）はＬＥＤ基板２０（光源の一例）を、図１（ｃ）は台座部３０を、図１（ｄ）は取付部材４０を、それぞれ示している。図２はパターン表示部１０とＬＥＤ基板２０と台座部３０とが組み合わされる様子を示し、図３はパターン表示部１０と台座部３０と取付部材４０が組み合わされる様子を示している。図４は、各部材が組み合わされた際の側断面図を示している。
【００２０】
図１に示すように、パターン表示部１０，ＬＥＤ基板２０，台座部３０及び取付部材４０は、正面方向から観察した場合において、同一の形状（文字「Ｇ」の形状）に形成されている。そして、パターン表示部１０，台座部３０及び取付部材４０は、同一の大きさに形成されている。一方、ＬＥＤ基板２０は、パターン表示部１０や台座部３０の内部に収納可能なよう、一回り小さく形成されている。
【００２１】
パターン表示部１０は、文字，図形，または模様を表示して看者に視認される表面１１ａを有した表示板１１と、この表示板１１の外縁部から裏面１１ｂ方向に延びる側壁板１２と、表示板１１の裏面１１ｂに配置される固定部材１３と、を有している。また、この表示板１１と側壁板１２との境界部分には、表示板１１及び側壁板１２よりも肉厚な角部１４が形成されている。
【００２２】
表示板１１は、人工大理石で形成されており、表示板１１の裏面１１ｂに照射されるＬＥＤ基板２０の光が、表示板１１内で拡散して、表示板１１の表面１１ａから出射される。この表示板１１の厚さ（表面１１ａから裏面１１ｂまでの距離）としては、例えば、１．５〜２．５ｍｍの範囲で形成される。
【００２３】
側壁板１２は、表示板１１と同様に、人工大理石で形成されており、１．５〜２．５ｍｍの範囲の厚さに形成される。この側壁板１２においても、裏面１２ｂ側に照射されたＬＥＤ基板２０の光が、側壁板１２内で拡散して、側壁板１２の表面１２ａ側から出射される。
【００２４】
固定部材１３は、表示板１１の裏面１１ｂ側に複数配置されており、図３に示すように、ＬＥＤ基板２０及び台座部３０に挿通されたネジＮ１が固定可能なよう雌ネジ部１３ａが形成されている。この固定部材１３は、透光性を有する材料で形成されていればよく、例えば、合成樹脂等の材料で形成した固定部材１３を、接着剤等の公知の手段を用いて表示板１１の裏面１１ｂ側に固定すればよい。また、この固定部材１３を人工大理石で形成して、表示板１１及び側壁板１２と一体形成することも当然に可能である。
【００２５】
角部１４は、表示板１１と側壁板１２との境界部分に形成されており、表示板１１及び側壁板１２よりも肉厚に形成されている。この角部１４の厚さの好ましい範囲としては、２．５〜３．５ｍｍを示すことができるが、基本的には表示板１１及び側壁板１２よりも肉厚に形成されていればよい。また、角部１４として９０度の角度を有した角を例示したが、９０度以外の角度を有していてもよいし、面取りされていてもよい。
【００２６】
ＬＥＤ基板２０は、光源の一例であり、文字「Ｇ」の形状に形成された基板２１と、基板２１上に配置される複数のＬＥＤ２２と、このＬＥＤ２２に電気を供給する配線２３と、を有している。なお、発光する材料であればＬＥＤ２２に限られず、適宜変更することが当然に可能である。
【００２７】
基板２１は、パターン表示部１０の表示板１１及び側壁板１２の裏面に光を照射するため、表示板１１の外形よりも側壁板１２の厚さ分（若しくはそれ以上）小径に形成され、パターン表示部１０及び台座部３０の内部に収納可能なよう構成されている。また、基板２１には、基板２１の表裏方向に貫通する貫通孔２１ａが形成されており、ネジＮ１が挿通可能なよう構成されている。
【００２８】
台座部３０は、文字「Ｇ」の形状に形成された背面板３１と、この背面板３１の外縁部から表面３１ａ方向に延びる側壁板３２と、取付部材４０の係合孔４２に係合される係合突起３３と、を有している。
背面板３１には、表裏方向に貫通する貫通孔３１ｂが形成されており、ネジＮ１を挿通してパターン表示部１０と接続するための貫通孔３１ｂと、ＬＥＤ基板２０の配線２３を挿通する貫通孔３１ｃと、が設けられている。なお、係合突起３３としては、例えば、大径なネジ頭を有するネジＮ２を採用することができる。
また、パターン表示部１０と台座部３０の接続箇所である側壁板３２の先端部には、側壁板１２の厚さ分だけ削った段部３２ｃが形成されており、パターン表示部１０と台座部３０が接続した際に、パターン表示装置Ａの側面に段差や隙間等が生じないように構成されている。
【００２９】
取付部材４０は、文字「Ｇ」の形状に形成され台座部３０の背面板３１が当接される支持板４１と、台座部３０の係合突起３３が嵌りこむ係合孔４２と、を有している。この係合孔４２は、ネジ状の係合突起３３のネジ頭部分が挿通可能な大径に形成された係合孔４２の上部孔４２ａと、そのまま下方向にスライドすることでネジ頭部分がロック可能なスライド孔４２ｂと、が形成されている。なお、これ以外にも、係合孔４２に係合突起３３を挿通するものであれば、公知の構成を採用することができる。
【００３０】
なお、図には示していないが、取付部材４０には配線２３を挿通するための貫通孔が形成されていてもよい。
また、係合突起３３のいずれかをＬＥＤ基板２０に接続し、係合突起３３を介して送電する構成としてもよい。すなわち、取付部材４０の係合孔４２に送電部を配置し、ＬＥＤ基板２０に接続された通電可能な係合突起３３を係合孔４２に係合することで、ＬＥＤ基板２０に電気を供給する構成としてもよい。
【００３１】
次に、本実施形態に係るパターン表示装置Ａを点灯させた状態について、図５を用いて詳細に説明する。図５（ａ）はパターン表示装置Ａを点灯させた状態の斜視図を示しており、図５（ｂ）はパターン表示装置Ａの断面模式図を示している。
【００３２】
図５（ａ）に示すように、点灯状態ではパターン表示部１０において、表示板１１の表面１１ａ及び側壁板１２の表面１２ａは明るく点灯するが、角部１４周辺は光量が落ちて暗くなる。これは、図５（ｂ）に示すように、この角部１４周辺は、表示板１１及び側壁板１２よりも厚く形成されているために、光源であるＬＥＤ２２の光が角部１４の全体にまで拡散されないことによる。なお、固定部材１３周辺においては、固定部材１３は透光性を有する材料で形成されているため、固定部材１３周辺は光量が落ちずに明るく表示されることとなる。また、ネジＮ１の影は、人工大理石中の拡散と人工大理石の模様によって、殆んど視認することができなくなる。
【００３３】
また、本発明において適用される好ましい人工大理石としては、デュポン社のコーリアン（登録商標）を例示することができる。なお、色や模様等に限定されることはなく、ある程度光の拡散が可能な人工大理石であれば採用することができる。
【００３４】
本発明によれば、パターン表示部１０を人工大理石で形成することにより、固定用のネジＮ１の影が表示板１１の表面１１ａに反映されないパターン表示装置を提供することができる。そのため、より簡易な構成にすることができ、加工コストを低減することができる。すなわち、固定用部材やネジの影が表示板１１の表面１１ａに反映されないよう、複雑な加工を施す必要がないため、加工コストを低減させることができる。
また、人工大理石は、天然の大理石と異なり、容易に加工することができる点で有用である。
【００３５】
また、本発明によれば、従来廃棄されていた人工大理石の端材を有効に活用することができる。従来、キッチン等を形成する際に生成される人工大理石の端材は、廃棄されるのが通常であった。そのため、本発明は従来廃棄されていた人工大理石を再利用して、生産コストを削減することができ、さらには環境問題に貢献することができる。
【００３６】
また、本発明によれば、角部１４を表示板１１及び側壁板１２よりも厚く形成して、点灯時に暗部とすることにより、表示板１１の視認性を向上させることができる。すなわち、角部１４に暗部が形成されることにより、看者に視認されたい表示パターンを縁取りするように外郭模様を形成することができ、表示パターンの視認性を向上させることができる。
【００３７】
本実施形態によれば、角部１４に形成される暗部を、表示板１１と側壁板１２に形成される明部で挟むことにより、さらに視認性を向上させることができる。すなわち、夜等の暗い場合にパターン表示装置Ａの最外箇所が暗部である場合には、周囲の暗さと同化してしまい、表示パターンの外郭を明確に視認することができないが、暗部のさらに外側に側壁板１２の明部が形成されていることにより、周囲の暗さと同化することなく、角部１４に形成される暗部を明確に視認することができる。
【００３８】
＜実施形態２＞
以下、本発明の実施形態２に係るパターン表示装置Ｂについて、図６，図７を参照して詳細に説明する。この実施形態２に係るパターン表示装置Ｂは、先の実施形態１に係るパターン表示装置Ａとは異なる台座部５０を採用したことを特徴とする。なお、同実施形態において、先の実施形態と基本的に同一の構成要素については、同一の符号を付してその説明を簡略化する。
【００３９】
図６は、実施形態２に係るパターン表示装置Ｂの分解斜視図を示しており、図７は縦断面図を示している。
この実施形態２に係るパターン表示装置Ｂは、文字、図形、または模様を表す形状に形成されてパターンを表示するパターン表示部１０と、このパターン表示部１０の裏面１１ｂに光を照射するＬＥＤ基板２０（光源の一例）と、このパターン表示部１０とＬＥＤ基板２０を支持する台座部５０と、を備えている。
【００４０】
台座部５０は、パターン表示部１０と同様に人工大理石で形成されており、パターン表示部１０が嵌りこむ凹部５１が形成されている。この凹部５１は、パターン表示部１０の厚さＤに対応した深さを有する第１凹部５１ａと、ＬＥＤ基板２０を設置する第２凹部５１ｂと、を有している。この第１凹部５１ａと第２凹部５１ｂの間には、段部が形成されており、この段部にパターン表示部１０の側壁板１２の端部が当接されることにより位置決めされる。なお、ＬＥＤ基板２０をパターン表示部１０の内側に配置して、第１凹部５１ａのみを形成する構成も可能である。このように、凹部５１は、パターン表示部１０の厚さＤに対応した深さに設定されている
なお、図６，７には示していないが、台座部５０にはＬＥＤ基板２０の配線２３が挿通される貫通孔が形成されている。
【００４１】
本実施形態によれば、台座部５０を人工大理石で形成し、凹部５１の深さをパターン表示部１０の厚さＤに設定することにより、パターン表示部１０を嵌め込んだ際に、パターン表示部１０の表面高さ（表示板１１の表面１１ａ）と台座部５０の表面５０ａの表面高さが一致することとなる。このように、表面高さを合わせることにより、人工大理石の中から発光しているような印象を看者に与えることができる。なお、消灯時には、看者に只の人工大理石と認識させることができ、点灯・消灯によってパターンの表示を発現させたり消滅させたりすることができる。
【００４２】
また、本発明の実施形態の説明においては、板状のパターン表示部１０，ＬＥＤ基板２０，台座部３０及び取付部材４０を例示したが、これに限られることはなく、湾曲した形状等を採用してもよい。
【符号の説明】
【００４３】
Ａ，Ｂ  パターン表示装置
１０  パターン表示部
１１  表示板
１２  側壁板
１３  固定部材
１４  角部
２０  ＬＥＤ基板
２１  基板
２２  ＬＥＤ
３０  台座部
３３  係合突起
４０  取付部材
４１  支持板
４２  係合孔
５０  台座部
５１  凹部
【図１】
2018036419.tif 000003
【図２】
2018036419.tif 000004
【図３】
2018036419.tif 000005
【図４】
2018036419.tif 000006
【図５】
2018036419.tif 000007
【図６】
2018036419.tif 000008
【図７】
2018036419.tif 000009